(57)【特許請求の範囲】
【請求項１】
１層又は複数層のひだを有しない紙筒の少くとも一方の端部を、これら端縁と平行の第１折線を中心に開披して両隅に三角折畳部を有する開披部を形成し、前記第１折線の両側の対称位置に該線と平行する第２折線を設け、これら第２折線に沿ってその外側の部分を内側に折り曲げ、該折曲部を重ね合せ、貼着閉鎖した底部を形成するに際し、前記折曲げ部同志を剥離容易に貼着した六角底袋の底構造において、前記開披部の中央に長辺が両三角折畳部に跨がり、かつ短辺が両第２折線を超える寸法の内底紙を一方の第２折線の外側に沿って線状に接着したことを特徴とする開封容易な六角底袋の底構造。
【請求項２】
前記内底紙の少くとも前記線状接着辺と対向する一辺をその端縁に沿って剥離容易に開披部上に貼着した請求項１記載の開封容易な六角底袋の底構造。
【請求項３】
前記第２折線に沿ってその外側の部分を内側に折曲げ該折曲部を重ね合せ、貼着閉鎖した底部の外側から重ね合せた折曲部の端縁に沿って開封ひもを添設し、該底面に底当紙を貼着した請求項１又は２記載の開封容易な六角底袋の底構造。
【発明の詳細な説明】
【０００１】
【発明の属する技術分野】
本発明は開封容易な六角底袋の底構造に関し、より詳しくは飛散しやすい微粉末あるいは流動性の高い粉末の包装に適する、単純な構造で、しかも密封性と開封作業の容易性とを兼ね備えた開封容易な六角底袋の底構造に関する。
【０００２】
【従来の技術】
従来、例えばカーボンブラックのように飛散しやすい微粉末や、塩ビ粉末のように流動性に富む粉末の包装に用いる包装袋米国特許第３６９０２２１号明細書図１１〜１３に示されるような内底紙を貼着した六角底袋が用いられてきた。
すなわち、ひだを有しない紙筒の少くとも、一方の端部を、これら端縁と平行の第１折線を中心に開披して、両隅部に三角折畳部を有する開披部を形成し、該開披部の中央に内底紙を貼着し、前記第一折線の両側対称位置に設けた第２折線に沿って、その外側の部分を内側に折曲げ、該折曲げ部を重ね合せ、貼着して底部を形成したものである。
【０００３】
【発明が解決しようとする課題】
しかしながら、この形式の底構造の袋は密封性にすぐれている一方、開封しにくく、人手で底部を上に向けて開封すると例えばカーボンブラックなどの内容物が飛散して作業員の衣服や身体が汚れるという問題があった。
本発明はかかる事情に鑑み、なされたもので、その課題は密封性があり開封容易で、しかも開封作業中に内容物の飛散を防ぐのに効果のある六角底袋の底構造を提供することにある。
【０００４】
【課題を解決するための手段】
前記課題を解決するため、本発明の開封容易な六角底袋の底構造は、１層又は複数層のひだを有しない紙筒の少くとも一方の端部を、これら端縁と平行の第１折線を中心に開披して両隅に三角折畳部を有する開披部を形成し、前記第１折線の両側の対称位置に該線と平行する第２折線を設け、これら第２折線に沿ってその外側の部分を内側に折り曲げ、該折曲部を重ね合せ、貼着閉鎖した底部を形成するに際し、前記折曲げ部同志を剥離容易に貼着した六角底袋の底構造において、前記開披部の中央に長辺が両三角折畳部に跨がり、かつ短辺が両第２折線を超える寸法の内底紙を一方の第２折線の外側に沿って線状に接着したことを特徴とする。
なお、前記内底紙の少くとも前記線状接着と対向する辺の端縁に沿って剥離容易に開披部上に貼着するのが好ましく、又前記第２折線に沿ってその外側の部分を内側に折曲げ、該折曲げ部の端縁に沿って開封ひもを添設し、該底面に底当紙を貼着することが好ましい。
【０００５】
【作用】
本発明の開封容易な底構造を有する六角底袋は、内底紙の存在によって、密封性が得られると共に（開封ひもを添設した底当紙が貼着されている場合は、開封ひもを引いて底当紙を切裂き）、第２折線に沿って折曲げられ、互いに重ね合され、剥離容易に貼着されている両折曲部を剥離すると、内容物を被っている内底紙が現われ、この段階においては、この内底紙によって内容物の飛散を防ぐという作用が達成される。
六角底袋の該端部を下方に向けると、内容物の重量によって、一辺を除いて、接着されていない（或いは剥離容易に貼着されている）内底紙の他の部分が開いて内容物を下方に排出するという作用が達成される。
【０００６】
【発明の実施の形態】
以下、図面を参照して本発明の実施例について詳細に説明するが、本発明はこれらに限定されるものではない。
図１〜図５は本発明の開封容易な六角底袋の底構造の一実施例（以下、第１実施例という）を説明するための平面図で、それぞれ底を形成する工程の各段階における状態を示す。
図中の符号は紙筒又は袋本体、２は第１折線、３は４５°折線、４ａ，４ｂは三角折畳部、５は開披部、６は接着剤、７は内底紙、８は第２折線、９は剥離型接着剤、１０は開封ひも、１１は底当紙である。
【０００７】
本発明の開封容易な六角底袋の底構造（以下、「底構造」という）では、１層又は複数層の平切りあるいは階段切りのひだ無し筒状体の一端に、その開口端縁と平行する第１折線２と該折線が筒状体の側端縁と交わる点から開口端縁中央部に向って伸びる４５°折線３が設けられ（図１参照）、該開口端部が前記第１折線２を中心に開披され、両隅に三角折畳部４ａ，４ｂを有する開披部５が形成され、前記第１折線２の両側の対称位置に、第１折線と平行する第２折線８が設けられる（図２参照）。そして第１実施例では、開披部５の中央に、長辺が両三角折畳部４ａ，４ｂに跨がり、かつ短辺が両第２折線８を超える寸法の内底紙７が、一方の第２折線の外側に沿って線状に塗布された接着剤６によって接着される（図３参照）。第２折線８より外側の部分の内、先ず図面の上方に示す部分が第２折線に沿って折曲げられ、そこに塗布されている再剥離型接着剤９によって三角折畳部４ａ，４ｂと内底紙７の上に剥離容易に接着され、その上に図面の下方に示される第２折線より外側の部分が同様第２折線８に添って折曲げられ、そこに塗布されている再剥離型接着剤９によって剥離容易に接着される（図４及び図５参照）。
このように貼着閉鎖された底部の、外側から（すなわち、後から）重ね合せた折曲部の端縁に沿って開封ひも１０が添設され、その上に底当紙１１が貼着される（図５参照）。
【０００８】
次に図６及び図７を参照して本発明の別の実施例（以下、「第２実施例」という）について説明する。
図６は筒状体１の端部を開披し、接着剤６ａを塗布した後で、内底紙７を貼着する前の状態を示している。図中の破線７′は内底紙７の貼着予定位置を示す。又、図７は内底紙７の平面図で７ｂは油性印刷に用いるメジウムを塗布した部分、７ａは塗布していない部分を示す。
【０００９】
第１実施例と第２実施例の相異は内底紙７の接着の仕方にある。第１実施例においては内底紙７が一方の第２折線の外側に沿って線状に塗布された接着剤６だけで接着されているが、第２実施例においては図６に示す６ａ（第１実施例における接着剤６に相当する）の部分だけでなく、内底紙７の貼着予定箇所７′の周縁全部６ａ，６ｂ，６ｃ，６ｄに接着剤が塗布される。そして内底紙７の接着面には図７に示すように接着剤６ａと接触する部分７ａを除き、他の部分７ｂには油性印刷で用いるメジウムが塗布されている。このような構成によって、第２実施例の底構造では内底紙７は６ａの部分が第１実施例と同様、接着剤で固着されていて、他の部分６ｂ，６ｃ，６ｄは剥離容易に接着される。内底紙７の前記貼着予定箇所７′の周縁部６ｃ，６ｄには接着剤の塗布を省略することもできる。
【００１０】
これら実施例の底構造の六角底袋を開封する際は開封ひも１０を引いて底当紙１１を切裂き、第２折線に沿って折曲げられ、互いに重ね合され、剥離容易に貼着されている両折曲部を剥離すると、先ず内容物を被っている内底紙７が現われる。そしてこの時点では、内底紙７は内容物を被覆し内容物が飛散するのを防ぐ役目をはたしている。次に該端部を下方に向けると、内容物の重量によって第１実施例の場合は、内底紙７の、接着剤６によって固着されている一辺を除き、接着されていない他の三辺が下方に開き、内容物を排出する。
【００１１】
第２実施例の場合は、開封ひも１０を引いて底当紙１１を切裂き、両折曲部を剥離しても、内底紙７が内容物を密封し、内容物が飛散するのを確実に防いでいる。そして、底の折曲部を剥離開封した袋端部を下方に向けると、メジウムを塗布されていないため接着剤６ａによって固着されている内底紙７の７ａの部分を除き、メジウムを塗布されているので接着剤６ｂ，６ｃ，６ｄによって剥離容易に接着されている他の三辺は内容物の重量によってはがれ、下方に開き、内容物を排出する。
【００１２】
【発明の効果】
本発明の開封容易な底構造を有する六角底袋は、内底紙の存在によって、密封性が得られると共に、（開封ひもを添設した底当紙が貼着されている場合は、開封ひもを引いて底当紙を切裂き、）第２折線に沿って折曲げられ、互いに重ね合され、剥離容易に貼着されている両折曲部を剥離すると、内容物を被っている内底紙が現われ、この段階においては、この内底紙によって内容物の飛散を防ぐことができる。
六角底袋の該端部を下方に向けると、内容物の重量によって、一辺を除いて、接着されていない（或いは剥離容易に貼着されている）内底紙の他の部分が開いて内容物を下方に排出する。
以上、詳述したように、本発明によれば、密封性があり、開封容易で、しかも開封作業中に内容物の飛散を防ぐのに効果のある六角底袋の底構造を提供することができる。
【図面の簡単な説明】
【図１】本発明の底構造を有する六角底袋を構成する紙筒の平面図。
【図２】本発明の第１実施例の六角底袋の底構造を説明するための平面図で、図１に続く製作の段階における状態を示す図。
【図３】本発明の第１実施例の底構造を説明するための平面図で、図２に続く製作の段階における状態を示す図。
【図４】本発明の第１実施例の底構造を説明するための平面図で、図３に続く製作の段階における状態を示す図。
【図５】本発明の第１実施例の底構造を説明するための平面図で、図４に続く製作の段階（完成の段階）における状態を示す図。
【図６】本発明の第２実施例の底構造を説明するための平面図で、内底紙を貼着するための接着剤は塗布したが、まだ内底紙を貼着していない状態を示す図。
【図７】本発明の第２実施例の底構造に用いる内底紙の平面図。
【符号の説明】
１：紙筒、２：第１折線、３：４５°折線、４ａ，４ｂ：三角折畳部、５：開披部、６，６ａ，６ｂ，６ｃ，６ｄ：（非剥離型）接着剤、７：内底紙、７ａ：（内底紙の）メジウムを塗布していない部分、７ｂ：（内底紙の）メジウムを塗布した部分、７′：内底紙貼着予定個所、８：第２折線、９：剥離型接着剤、１０：開封ひも、１１：底当紙
【図１】
0003640270.tif 000002
【図２】
0003640270.tif 000003
【図３】
0003640270.tif 000004
【図４】
0003640270.tif 000005
【図５】
0003640270.tif 000006
【図６】
0003640270.tif 000007
【図７】
0003640270.tif 000008